(57)【要約】【課題】簡便な構成で日射の室内への入射を抑制しつつスラットを通した眺望を大きくする。【解決手段】窓１０の室内側に取り付けられる電動ブラインド１００であって、スラット２１と、駆動モータ３７と、日射検出部４０と、制御部３１と、を有し、日射検出部４０は、スラット２１の室内側に設けられた日射受部材４１と、日射受部材４１の室外側面に取り付けられた日射側温度センサ４２と、日射受部材４１によって日射が遮られる空間に配置された日陰側温度センサ４３と、を含み、制御部３１は、日射側温度センサ４２によって検出した日射側温度と日陰側温度センサ４３で検出した日陰側温度とに基づいて、スラット２１の回転角度を調整する。【選択図】図１
2020079505.tif 000002
【特許請求の範囲】
【請求項１】
窓の室内側に取り付けられる電動ブラインドであって、
スラットと、
前記スラットを回転駆動するモータと、
前記スラットの室内側に設けられた日射検出部と、
前記モータによって前記スラットの回転角度を調整する制御部と、を有し、
前記日射検出部は、
前記スラットの室内側に設けられた日射受部材と、
前記日射受部材の室外側面に取り付けられた日射側温度センサと、
前記日射受部材の室内側で前記日射受部材によって日射が遮られる空間に配置された日陰側温度センサと、を含み、
前記制御部は、前記日射側温度センサによって検出した日射側温度と前記日陰側温度センサで検出した日陰側温度とに基づいて、前記スラットの回転角度を調整すること、
を特徴とする電動ブラインド。
【請求項２】
請求項１に記載の電動ブラインドであって、
前記制御部は、
前記日射側温度と前記日陰側温度との温度差が第１閾値を超える場合には、前記スラットを閉める方向に回転させ、
前記日射側温度と前記日陰側温度との温度差が前記第１閾値よりも小さい第２閾値以下の場合には、前記スラットを開ける方向に回転させること、
を特徴とする電動ブラインド。
【請求項３】
請求項２に記載の電動ブラインドであって、
前記第１閾値は、夏に前記日射受部材に日射が当たった際の前記日射側温度と前記日陰側温度との温度差よりも小さく、冬に前記日射受部材に日射が当たった際の前記日射側温度と前記日陰側温度との温度差よりも大きいこと、
を特徴とする電動ブラインド。
【発明の詳細な説明】
【技術分野】
【０００１】
本発明は、窓の室内側に取り付けられてスラットの回転角度を調整可能な電動ブラインドの構造に関する。
【背景技術】
【０００２】
建物の窓に取り付けられたブラインドにおいて、スラットの角度を窓からの日射を遮蔽しながら眺望が最大になるような最適角度に調整する制御装置が提案されている。例えば、特許文献１には太陽高度と太陽方位角に基づいてスラットの角度を最適角度に制御する制御装置が提案されている。
【先行技術文献】
【特許文献】
【０００３】
【特許文献１】特開２００６−２９０２７号公報
【発明の概要】
【発明が解決しようとする課題】
【０００４】
特許文献１に記載された制御装置は、気象条件を考慮せず、太陽高度と方位角に基づいてスラットの角度を制御するので、例えば、曇っていて日射が室内に入射しないような場合、或いは、冬季で日射を室内に入射させても眺望を最大にしたいような場合にもスラットが閉じ方向に動作して眺望が制約される場合があった。
【０００５】
また、特許文献１に記載された制御装置は、太陽高度と方位角に基づいてスラットの最適角度を計算するので、演算量が多く装置が複雑になってしまうという問題があった。
【０００６】
そこで、本発明は、簡便な構成で日射の室内への入射を抑制しつつブラインドを通した眺望を大きくすることを目的とする。
【課題を解決するための手段】
【０００７】
本発明の電動ブラインドは、窓の室内側に取り付けられる電動ブラインドであって、スラットと、前記スラットを回転駆動するモータと、前記スラットの室内側に設けられた日射検出部と、前記モータによって前記スラットの回転角度を調整する制御部と、を有し、前記日射検出部は、前記スラットの室内側に設けられた日射受部材と、前記日射受部材の室外側面に取り付けられた日射側温度センサと、前記日射受部材の室内側で前記日射受部材によって日射が遮られる空間に配置された日陰側温度センサと、を含み、前記制御部は、前記日射側温度センサによって検出した日射側温度と前記日陰側温度センサで検出した日陰側温度とに基づいて、前記スラットの回転角度を調整すること、を特徴とする。
【０００８】
本発明の電動ブラインドにおいて、前記制御部は、前記日射側温度と前記日陰側温度との温度差が第１閾値を超える場合には、前記スラットを閉める方向に回転させ、前記日射側温度と前記日陰側温度との温度差が前記第１閾値よりも小さい第２閾値以下の場合には、前記スラットを開ける方向に回転させてもよい。
【０００９】
本発明の電動ブラインドにおいて、前記第１閾値は、夏に前記日射受部材に日射が当たった際の前記日射側温度と前記日陰側温度との温度差よりも小さく、冬に前記日射受部材に日射が当たった際の前記日射側温度と前記日陰側温度との温度差よりも大きいこととしてもよい。
【発明の効果】
【００１０】
本発明は、簡便な構成で日射の室内への入射を抑制しつつブラインドを通した眺望を大きくできる。
【図面の簡単な説明】
【００１１】
【図１】実施形態の電動ブラインドを窓に取り付けた状態を示す断面図である。
【図２】図１に示す電動ブラインドの系統図である。
【図３】図１に示す電動ブラインドのスラットの回転動作の説明図である。
【図４】図１に示す電動ブラインドの日射検出部の詳細図である。
【図５】図１に示す電動ブラインドの動作を示すフローチャートである。
【発明を実施するための形態】
【００１２】
以下、実施形態の電動ブラインド１００について説明する。図１に示すように電動ブラインド１００は建物の窓１０の窓ガラス１１の室内側に取り付けられている。電動ブラインド１００は、電動ユニット２０と、スラット２１と、昇降テープ２２と、ラダーコード２３，２４と、ボトムレール２５と、日射検出部４０とを含んでいる。
【００１３】
スラット２１は、電動ユニット２０に取り付けられた昇降テープ２２に回転自在に取り付けられている。スラット２１の室内側の端部と室外側の端部にはそれぞれ上下に延びるラダーコード２３，２４が取り付けられている。昇降テープ２２とラダーコード２３，２４の下端はボトムレール２５に接続されている。昇降テープ２２を上下させるとスラット２１とボトムレール２５とが昇降する。また、室内側、室外側の各ラダーコード２３，２４を上下逆方向に移動させるとスラット２１が開閉する。
【００１４】
図２に示すように、電動ユニット２０には、駆動モータ３７と駆動モータ３７を制御する制御部３１とが収容されている。駆動モータ３７は、ラダーコード２３，２４が接続されたプーリ３８に同軸に接続されている。駆動モータ３７が回転するとプーリ３８が回転しラダーコード２３，２４が上下逆方向に移動する。図３に示すように、駆動モータ３７により室内側のラダーコード２３を上方に移動させ、室外側のラダーコード２４を下方に移動させると、スラット２１は日射を遮断する閉方向に回転する。駆動モータ３７を逆に回転させると、室内側のラダーコード２３が下方に移動し、室外側のラダーコード２４が上方に移動し、スラット２１は日射が室内に入射する開方向に回転する。このように、駆動モータ３７はスラット２１を回転駆動する。
【００１５】
図２に示すように、制御部３１は、内部にＣＰＵ３２とメモリ３３と入力インターフェース３４と出力インターフェース３５とを備えるコンピュータである。ＣＰＵ３２とメモリ３３と入力インターフェース３４と出力インターフェース３５とはデータバス３６で接続されている。入力インターフェース３４には、後で説明する日射検出部４０の日射側温度センサ４２と日陰側温度センサ４３とが接続されている。また、出力インターフェース３５には駆動モータ３７が接続されている。日射側温度センサ４２と日陰側温度センサ４３からの信号は入力インターフェース３４から制御部３１に入力される。また、駆動モータ３７は、出力インターフェース３５から出力される制御部３１の指令によって制御される。
【００１６】
図１、４に示すように、日射検出部４０は、スラット２１の室内側に配置された日射受部材４１と、日射受部材４１の室外側面４１ａに取り付けられた日射側温度センサ４２と、日射受部材４１の室内側で日射受部材４１によって日射が遮られ、日射受部材４１の日陰４４となる空間に配置される日陰側温度センサ４３とで構成されている。
【００１７】
日射受部材４１は薄い金属板或いは木板、プラスチック板などの平板部材である。日射が当たる日射受部材４１の室外側面４１ａは日射熱を吸収しやすくするように黒色となっている。同様に、日射側温度センサ４２の表面も黒塗りとなっている。一方、日射受部材４１の室内側面４１ｂは金属光沢面或いは白色となっている。日陰側温度センサ４３の表面も同様に白塗りとなっている。日射側温度センサ４２、日陰側温度センサ４３は例えば、熱電対のような温度センサである。
【００１８】
次に、図５を参照しながら電動ブラインド１００の動作について説明する。制御部３１は、図５のステップＳ１０１に示すように、日射側温度センサ４２、日陰側温度センサ４３で日射側温度Ｔｓと日陰側温度Ｔｒとを検出する。そして、制御部３１は、図５のステップＳ１０２に進んで検出した日射側温度Ｔｓと日陰側温度Ｔｒとの温度差ΔＴ＝Ｔｓ−Ｔｒを算出する。
【００１９】
制御部３１は、図５のステップＳ１０３で温度差ΔＴが所定の第１閾値を超えているかどうか判断する。ここで、第１閾値は、夏に日射受部材４１に日射が当たった際の日射側温度Ｔｓと日陰側温度Ｔｒとの温度差ΔＴｓよりも小さく、冬に日射受部材４１に日射が当たった際の日射側温度Ｔｓと日陰側温度Ｔｒとの温度差ΔＴｗよりも大きい温度である。第１閾値は地域によってさまざまな値を設定できるが、一例を挙げると、夏に温度差ΔＴｓが１０℃程度、冬にΔＴｗが２℃程度となる場合には、第１閾値を３℃としてもよい。
【００２０】
制御部３１は、図５のステップＳ１０３でＹＥＳと判断した場合には、スラット２１が開いて日射が室内に入射していると判断して図５のステップＳ１０４に進んで駆動モータ３７を回転させてスラット２１を閉方向に回転させるスラット閉動作を行う。一回のスラット閉動作はスラット２１を小角度、例えば、５°程度閉方向にスラット２１を回転させる。このように、制御部３１は駆動モータ３７によってスラット２１の回転角度を調整する。そして、制御部３１は、図５のステップＳ１０５に進んで所定の時間だけ待機し、図５のステップＳ１０１に戻る。
【００２１】
一方、制御部３１は、図５のステップＳ１０３でＮＯと判断した場合には、日射が室内に入射しない程度にスラット２１が閉じていると判断して図５のステップＳ１０６に進んで温度差ΔＴが第２閾値を超えているかどうか判断する。ここで、第２閾値は、第１閾値よりも小さい値であり、冬の温度差ΔＴｗよりも小さい値である。先の例のように冬のΔＴｗが２℃程度の場合、１℃程度にしてもよい。
【００２２】
制御部３１は、図５のステップＳ１０６でＹＥＳと判断した場合には、スラット２１の角度は日射が室内に入射せず、大きな眺望が得られる最適角度になっていると判断してスラット２１を回転させずに図５のステップＳ１０５に進み、所定の時間だけ待機してステップＳ１０１に戻る。
【００２３】
制御部３１は、図５のステップＳ１０６でＮＯと判断した場合には、スラット２１は、閉まりすぎであると判断して図５のステップＳ１０７に進んでスラット２１を開方向に回転させるスラット開動作を行う。一回のスラット開動作はスラット２１を小角度、例えば、５°程度開方向にスラット２１を回転させる。そして、制御部３１は、図５のステップＳ１０５に進んで所定の時間だけ待機し、図５のステップＳ１０１に戻る。
【００２４】
制御部３１は、図５のステップＳ１０１から１０７の動作を所定の時間間隔で繰り返して実行することにより、スラット２１の角度を日射が室内に入射せず、大きな眺望が得られる最適角度に調整することができる。
【００２５】
また、第１閾値を夏の温度差ΔＴｓよりも小さく冬の温度差ΔＴｗよりも大きい値としているので、温度差ΔＴが第１閾値を超える夏には、スラット２１は閉まる方向に動作して日射が室内に入射することを抑制し、温度差ΔＴが第１閾値を超えない冬にはスラット２１は閉まる方向に動作せず大きな眺望とすることができる。
【００２６】
以上の実施形態では、第１閾値、第２閾値の例を示したが、第１閾値、第２閾値はこれに限らず使用者が調整できるようにしてもよい。例えば、第１閾値、第２閾値を大きめに設定するとよりよく日射の遮断を行うことができる。また、第１閾値、第２閾値を小さめに設定することにより、より大きな眺望を得ることができる。
【００２７】
以上説明したように、実施形態の電動ブラインド１００は、簡便な構成で日射の室内への入射を抑制しつつスラット２１を通した眺望を大きくすることができる。
【符号の説明】
【００２８】
１０  窓、１１  窓ガラス、２０  電動ユニット、２１  スラット、２２  昇降テープ、２３，２４  ラダーコード、２５  ボトムレール、３１  制御部、３２  ＣＰＵ、３３  メモリ、３４  入力インターフェース、３５  出力インターフェース、３６  データバス、３７  駆動モータ、３８  プーリ、４０  日射検出部、４１  日射受部材、４１ａ  室外側面、４１ｂ  室内側面、４２  日射側温度センサ、４３  日陰側温度センサ、４４  日陰、１００  電動ブラインド。
【図１】
2020079505.tif 000003
【図２】
2020079505.tif 000004
【図３】
2020079505.tif 000005
【図４】
2020079505.tif 000006
【図５】
2020079505.tif 000007